(57)【要約】【課題】筐体を大型化させずに筐体の設置角度を変化させることができるようにして画像の投影方向を調整できる電子機器及びカメラを提供する。【解決手段】被写体像を取得する撮像部及び画像を投射面に向けて投影するプロジェクタ部３０を収容する筐体１０の前面１０Ａに、プロジェクタ部３０からの投射光を通過させる投影窓３５を設けるとともに、前面１０Ａに摺動可能かつ摺動方向に沿う複数の位置に停止可能なスライドカバー４０を設けた。スライドカバー４０の下端部４１が筐体１０の底面より突出できるようにスライドカバー４０の可動範囲を広くし、筐体１０を載置面Ｈに設置したとき、筐体１０が設置面Ｈに対して傾斜するようにした。【選択図】図６
2010134007.tif 000002
【特許請求の範囲】
【請求項１】
被写体像を取得する撮像手段と、
画像を投射面に向けて投影するプロジェクタと、
前記撮像手段及び前記プロジェクタを収容するとともに、前記プロジェクタからの投射光を通過させる投影窓が設けられた筐体と、
前記筐体の前記投影窓が設けられた面に摺動可能かつ摺動方向に沿う複数の位置に停止可能なカバーと、
前記カバーの停止位置に応じて、前記筐体が設置される設置面に対する前記プロジェクタの投影光路の角度を調整する調整手段と
を備えていることを特徴とする電子機器。
【請求項２】
前記カバーの位置を検出する位置検出手段と、
前記位置検出手段で検出された前記カバーの位置に応じて、前記撮像手段により被写体像を取得する撮影モードと、前記プロジェクタにより前記画像を投影する投影モードとを切り替えるための切替手段とを備えていることを特徴とする請求項１記載の電子機器。
【請求項３】
前記筐体は、前記投影窓が設けられた面に、被写体を撮影するための撮影窓を有しており、
前記カバーの前記複数の停止位置の少なくとも１つは、前記被写体像を前記撮影窓を介して取得可能な位置であることを特徴とする請求項１又は２記載の電子機器。
【請求項４】
前記カバーの前記複数の停止位置の少なくとも１つは、前記画像を前記投影窓を介して投影可能な位置であることを特徴とする請求項１〜３のいずれか１項記載の電子機器。
【請求項５】
前記調整手段は、前記カバーと係合して、前記カバーを前記複数の位置で停止させるクリック機構を備えていることを特徴とする請求項１〜４のいずれか１項記載の電子機器。
【請求項６】
前記カバーの前記複数の停止位置の少なくとも１つは、前記カバーの一部が前記筐体より突出する位置であることを特徴とする請求項１〜５のいずれか１項記載の電子機器。
【請求項７】
前記調整手段は、
前記プロジェクタを保持する枠体と、
前記枠体を前記投影窓が設けられた面に向けて付勢する弾性部材と、
前記カバーの摺動に応じて、前記枠体を前記弾性部材の付勢力に抗して前記枠体を回転可能に支持する回転手段と
を備えていることを特徴とする請求項１〜４のいずれか１項記載の電子機器。
【請求項８】
前記回転手段は、
前記枠体に設けられた凸部と、
前記カバーに設けられ、前記カバーの摺動に応じて前記凸部に当接して前記枠体を前記投影窓が設けられた面と対向する面に向けて付勢する斜面部とで構成されていることを特徴とする請求項７記載の電子機器。
【請求項９】
請求項１〜８のいずれか１項記載の電子機器はカメラである。
【発明の詳細な説明】
【技術分野】
【０００１】
この発明は電子機器及びカメラに関する。
【背景技術】
【０００２】
従来、カメラ本体の側面上部に設けられた軸に回転可能に支持されるカバーを、３段階の支持位置で静止できるようにして、設置面に対するカメラ本体の設置角度を調整できるようにしたカメラが知られている（下記公報参照）。
【特許文献１】特開２００３−３５９２６号公報
【発明の開示】
【発明が解決しようとする課題】
【０００３】
しかし、上記カメラには、カメラ本体を３段階の支持位置で静止させるための専用の静止機構が採用されているので、部品点数が増加してカメラが大型化するという問題がある。
【０００４】
この発明はこのような事情に鑑みてなされたもので、その課題は筐体を大型化させずに筐体の設置角度を変化させることができるようにして画像の投影方向を調整できる電子機器及びカメラを提供することである。
【課題を解決するための手段】
【０００５】
上記課題を解決するため請求項１記載の発明は、被写体像を取得する撮像手段と、画像を投射面に向けて投影するプロジェクタと、前記撮像手段及び前記プロジェクタを収容するとともに、前記プロジェクタからの投射光を通過させる投影窓が設けられた筐体と、前記筐体の前記投影窓が設けられた面に摺動可能かつ摺動方向に沿う複数の位置に停止可能なカバーと、前記カバーの停止位置に応じて、前記筐体が設置される設置面に対する前記プロジェクタの投影光路の角度を調整する調整手段とを備えていることを特徴とする。
【０００６】
請求項２に記載の発明は、請求項１記載の電子機器において、前記カバーの位置を検出する位置検出手段と、前記位置検出手段で検出された前記カバーの位置に応じて、前記撮像手段により被写体像を取得する撮影モードと、前記プロジェクタにより前記画像を投影する投影モードとを切り替えるための切替手段とを備えていることを特徴とする。
【０００７】
請求項３に記載の発明は、請求項１又は２記載の電子機器において、前記筐体は、前記投影窓が設けられた面に、被写体を撮影するための撮影窓を有しており、前記カバーの前記複数の停止位置の少なくとも１つは、前記被写体像を前記撮影窓を介して取得可能な位置であることを特徴とする。
【０００８】
請求項４に記載の発明は、請求項１〜３のいずれか１項記載の電子機器において、前記カバーの前記複数の停止位置の少なくとも１つは、前記画像を前記投影窓を介して投影可能な位置であることを特徴とする。
【０００９】
請求項５に記載の発明は、請求項１〜４のいずれか１項記載の電子機器において、前記調整手段は、前記カバーと係合して、前記カバーを前記複数の位置で停止させるクリック機構を備えていることを特徴とする。
【００１０】
請求項６に記載の発明は、請求項１〜５のいずれか１項記載の電子機器において、前記カバーの前記複数の停止位置の少なくとも１つは、前記カバーの一部が前記筐体より突出する位置であることを特徴とする。
【００１１】
請求項７に記載の発明は、請求項１〜４のいずれか１項記載の電子機器において、前記調整手段は、前記プロジェクタを保持する枠体と、前記枠体を前記投影窓が設けられた面に向けて付勢する弾性部材と、前記カバーの摺動に応じて、前記枠体を前記弾性部材の付勢力に抗して前記枠体を回転可能に支持する回転手段と  を備えていることを特徴とする。
【００１２】
請求項８に記載の発明は、請求項７記載の電子機器において、前記回転手段は、前記枠体に設けられた凸部と、前記カバーに設けられ、前記カバーの摺動に応じて前記凸部に当接して前記枠体を前記投影窓が設けられた面と対向する面に向けて付勢する斜面部とで構成されていることを特徴とする。
【００１３】
請求項９に記載の発明は、請求項１〜８のいずれか１項記載の電子機器はカメラである。
【発明の効果】
【００１４】
この発明によれば、筐体を大型化させずに筐体の設置角度を変化させることができるようにして画像の投影方向を調整できる。
【発明を実施するための最良の形態】
【００１５】
以下、この発明の実施の形態を図面に基づいて説明する。
【００１６】
図１（ａ）はこの発明の第１実施形態に係るカメラの正面図、図１（ｂ）は図１（ａ）のＡ−Ａ線に沿う断面を示す概念図である。
【００１７】
図１（ａ），（ｂ）はカメラ（電子機器）１の電源がオフ状態であるときのカメラを示す。
【００１８】
カメラ１の筐体１０の前面１０Ａには、レンズ鏡筒（撮影窓）２２と、投影窓３５と、撮影時に補助的な光を通過させるフラッシュ窓１３と、被写体からの反射光を通過させるオートフォーカス（自動焦点合わせ機構）用の窓１４と、前面１０Ａに沿って摺動可能かつ摺動方向に沿う複数の位置に停止可能なスライドカバー（カバー）４０とが設けられている。
【００１９】
筐体１０内には、レンズ鏡筒２２を介して被写体像を取得する撮像部（撮像手段）２０と、投影窓３５から画像を含む投射光をスクリーン等の投射面へ向けて投射するプロジェクタ部（プロジェクタ）３０と、フォトインタラプタ等のセンサ（位置検出手段）１５で検出された検出信号に基づいてスライドカバー４０の位置を検出して撮影や投影の動作を制御する制御回路（切替手段）５０とが配置されている。
【００２０】
スライドカバー４０は、矩形であり、レンズ鏡筒２２、投影窓１１、フラッシュ窓１３、窓１４を覆うことができる大きさを有する。
【００２１】
スライドカバー４０の複数の停止位置のうちの１つの位置は、レンズ鏡筒２２を介して被写体像を取得可能な位置である（図２参照）。この位置は１つとは限らない。
【００２２】
また、スライドカバー４０の停止位置のうちの１つの位置は、画像を投影可能な位置である（図３〜６参照）。この位置は１つとは限らない。スライドカバー４０の下端部（一部）４１が筐体１０の底面より突出できるようにスライドカバー４０の可動範囲が設定されている。そのため、筐体１０を設置面Ｈに対して傾斜させることができる（図４〜６参照）。
【００２３】
スライドカバー４０は筐体１０に取り付けられた板ばね１６によって筐体１０の前方へ付勢されている。スライドカバー４０の裏面４０Ｂには板ばね１６の先端の凸部１６ａと係合する複数（この実施形態では５つ）の凹部４２が形成されている。凹部４２と板ばね１６とでスライドカバー４０を複数の位置で停止させるクリック機構が構成される。このクリック機構とスライドカバー４０の下端部４１が筐体１０の設置される設置面に対するプロジェクタ部３０の投影光路の角度を調整する調整手段として機能する。
【００２４】
制御回路５０は、センサ１５で検出されたスライドカバー４０の位置に応じて、撮像部２０により被写体像を取得する撮像モードと、プロジェクタ部３０により画像を投影する投影モードとを切り替える。
【００２５】
プロジェクタ部３０は、図示しない光源からの光を反射させるプリズム３１と、画像を表示する液晶パネル３２と、液晶パネル３２に表示された画像を拡大する投影レンズ３３と、投影レンズ３３を透過した光を図示しないスクリーン上に反射させる反射ミラー３４とを備えている。プリズム３１、液晶パネル３２、投影レンズ３３、反射ミラー３４は筐体１０内に固定された枠体３６に保持されている。
【００２６】
なお、液晶パネル３２として反射型の液晶パネル３２や透過型液晶表示素子（ＬＣＤ）パネルがある。反射型液晶パネル２２に比べ透過型液晶表示素子パネルの方が光学系の光路長が短くなる点で有利である。また、液晶パネル３２に代えて、例えばＤＬＰ（Ｄｉｇｉｔａｌ  Ｌｉｇｈｔ  Ｐｒｏｃｅｓｓｉｎｇ）を用いてもよい。ＤＬＰは例えば微小な四角の鏡（ＤＭＤ、デジタル・マイクロミラー・デバイス）を数百万個敷き詰めたものであり、各々の鏡の向きが映像信号に基づいて制御され、光源からの光が反射されて画像が投射面に投射される。
【００２７】
筐体１０の背面にはＬＣＤ表示パネル１８が配置されている。ＬＣＤ表示パネル１８には撮影モード、投射モードに応じて画像や文字情報が表示される。
【００２８】
次に、このカメラ１の使用方法を図２〜６に基づいて説明する。
【００２９】
図２〜６はカメラ１の使用方法を説明するための図であって、カメラ１の断面を示す概念図である。
【００３０】
スライドカバー４０を図１（ａ），（ｂ）に示す停止位置から下方にスライドさせると、スライドカバー４０は図２に示す第１の停止位置で停止する。このとき、センサ１５で検出されたスライドカバー４０の位置に応じて、被写体像を取得する撮像モードとなる。撮像部２０、ＬＣＤ表示パネル１８に電源（図示せず）から電力が供給され、撮影や再生が可能となる。ＬＣＤ表示パネル１８には撮像部２０で取得された被写体の像を含む撮影用の操作画面（ＧＵＩ）が表示される。ユーザは操作画面から目的の機能を表わすアイコン等をポインティングデバイス等で選択する。
【００３１】
スライドカバー４０を図２に示す第１の停止位置から更に下方にスライドさせると、スライドカバー４０は図３に示す第２の停止位置で停止する。このとき、センサ１５で検出されたスライドカバー４０の位置に応じて、プロジェクタ部３０により画像を投影する投影モードとなり、プロジェクタ部３０に電力が供給され、プロジェクタ部３０からの画像の投影が可能となる。ＬＣＤ表示パネル１８の画面は撮影用の操作画面からプロジェクタ用の操作画面に切り替わる。第２の停止位置では、筐体１０を設置面Ｈに設置したとき、プロジェクタ部３０の投影光路は設置面Ｈに平行である。
【００３２】
スライドカバー４０を図３に示す第２の停止位置から更に下方にスライドさせると、スライドカバー４０は図４に示す第３の停止位置で停止する。このとき、下端部４１が筐体１０の底面より突出する。第３の停止位置では、筐体１０を設置面Ｈに設置したとき、筐体１０が設置面Ｈに対して傾き、プロジェクタ部３０の投影光路が上方を向く。
【００３３】
同様に、スライドカバー４０を図４に示す第３の停止位置から更に下方にスライドさせると、スライドカバー４０は図５に示す第４の停止位置で停止する。このとき、下端部４１が筐体１０の底面より突出する量が第３の停止位置のときより大きくなる。そのため、筐体１０を設置面Ｈに設置したとき、筐体１０が設置面Ｈに対して傾き、プロジェクタ部３０の投影光路が第３の停止位置のときより上方を向く（図６参照）。
【００３４】
この実施形態によれば、専用の静止機構を必要としないため、筐体１０を大型化させることなく下端部４１の突出量に応じて筐体１０の設置面Ｈに対する角度を変化させてプロジェクタ部３０の投影光路の角度を調整することができる。また、クリック機構を用いたので、スライドカバー４０を所定の位置で確実に停止させることができる。更に、スライドカバー４０の停止位置は上記実施形態では５つであるが、これに限られるものではなく６つ以上でもよい。なお、投影モードに切り替えたとき、ＬＣＤ表示パネル１８を消灯させるようにすれば、カメラ１の省電力化を図ることができる。
【００３５】
図７（ａ）はこの発明の第２実施形態に係るカメラの正面図、図７（ｂ）は図７（ａ）のＢ−Ｂ線に沿う断面を示す概念図であり、第１実施形態と共通する部分には同一符号を付してその説明を省略する。
【００３６】
図７（ａ），（ｂ）はカメラ（電子機器）１０１の電源がオフ状態であるときを示す。また、図７（ａ），（ｂ）ではクリック機構の図示は省略されているが、スライドカバー（カバー）１４０を第１実施形態と同様に複数の位置で停止させることができる。
【００３７】
カメラ１０１の筐体１１０内には、撮像部２０と、投影窓１１から画像を含む投射光をスクリーン等の投射面へ向けて投射するプロジェクタ部１３０と、センサ１５で検出された検出信号に基づいてスライドカバー１４０の位置を検出してカメラ１０１の動作を制御する制御回路５０とが配置されている。
【００３８】
プロジェクタ部１３０のプリズム３１、液晶パネル３２、投影レンズ３３、反射ミラー３４は枠体１３６に保持されている。枠体１３６のＬＣＤ表示パネル１８側の下端部には軸１３７が設けられている。軸１３７は筐体１１０内の両側面に設けられた凸部（図示せず）に回転可能に支持されている。また、枠体１３６とＬＣＤ表示パネル１８との間には、枠体１３６を筐体１１０の前面１１０Ａ（投影窓１１が設けられた面）の方向へ付勢するばね（弾性部材）５が配置されている。更に、枠体１３６にはスライドカバー１４０に当接する凸部１３８が一体に形成されている。
【００３９】
スライドカバー１４０は、矩形であり、レンズ鏡筒２２、投影窓３５、フラッシュ窓１３、窓１４を覆うことができる大きさを有する。スライドカバー１４０は筐体１１０の前面１１０Ａの範囲内で上下方向へ移動可能である。
【００４０】
スライドカバー１４０の複数の停止位置のうちの１つの位置は、レンズ鏡筒２２を介して被写体像を取得可能な位置である（図８参照）。この位置は1つとは限られない。
【００４１】
また、スライドカバー１４０の複数の停止位置のうちの１つの位置では、プロジェクタ部１３０から画像を投影可能である（図９〜１１参照）。この位置は1つとは限られない。
【００４２】
スライドカバー１４０の裏面１４０Ｂには凸部１３８に当接して枠体１３６をばね５の付勢力に抗して筐体１１０の後方（投影窓１１が設けられた面と対向する面に向かう方向）へ付勢する斜面部１４２が形成されている。斜面部１４２は上にいくほど筐体１１０の前面１１０Ａに近づくように傾斜している。枠体１３６とばね５と凸部１３８と斜面部１４２とで調整手段が構成され、筐体１０が設置される設置面Ｈに対するプロジェクタ部１３０の投影光路の角度が調整される。また、凸部１３８と斜面部１４２とで回転手段が構成される。
【００４３】
制御回路５０はセンサ１５で検出されたスライドカバー１４０の位置に応じて、撮像部２０により被写体像を取得する撮像モードと、プロジェクタ部１３０により画像を投影する投影モードとを切り替える。
【００４４】
次に、このカメラ１０１の使用方法を図８〜１１に基づいて説明する。
【００４５】
図８〜１１はカメラ１０１の使用方法を説明するための図であって、カメラ１０１の断面を示す概念図である。
【００４６】
スライドカバー１４０を図７（ａ），（ｂ）に示す停止位置から下方にスライドさせると、スライドカバー１４０は図８に示す第１の停止位置で停止する。このとき、センサ１５で検出されたスライドカバー４０の位置に応じて、被写体像を取得する撮像モードとなる。撮像部２０、ＬＣＤ表示パネル１８に電力が供給され、撮影や再生が可能となる。ＬＣＤ表示パネル１８には撮影用の操作画面が表示される。
【００４７】
スライドカバー１４０を図８に示す第１の停止位置から更に下方にスライドさせると、スライドカバー１４０は図９に示す第２の停止位置で停止する。このとき、センサ１５で検出されたスライドカバー４０の位置に応じて、プロジェクタ部３０により画像を投影する投影モードとなり、プロジェクタ部１３０に電力が供給され、画像の投影が可能となる。ＬＣＤ表示パネル１８の画面はプロジェクタ用の操作画面に切り替わる。このモードでは、筐体１０を設置面Ｈに設置したとき、プロジェクタ部１３０の投影光路は設置面Ｈに平行である。
【００４８】
スライドカバー１４０を図９に示す第２の停止位置から更に下方にスライドさせると、スライドカバー１４０は図１０に示す第３の停止位置で停止する。このとき、斜面部１４２が凸部１３８に当接し、枠体１３６が筐体１１０の後方へ付勢されるので、枠体１３６が設置面Ｈに対して傾き、プロジェクタ部３０の投影光路が上方を向く。
【００４９】
同様に、スライドカバー１４０を図１０に示す第３の停止位置から更に下方にスライドさせると、スライドカバー１４０は図１１に示す第４の停止位置で停止する。このとき、枠体１３６が筐体１１０の後方へ更に付勢されるので、枠体１３６の設置面Ｈに対する傾きが図１０よりも大きくなり、プロジェクタ部１３０の投影光路が第４の停止位置のときより上方を向く。
【００５０】
この実施形態によれば、第１実施形態と同様の効果を奏する。
【００５１】
なお、上記実施形態では、電子機器としてカメラを用いた場合を説明したが、電子機器としては例えば携帯電話機を用いることもできる。
【図面の簡単な説明】
【００５２】
【図１】図１（ａ）はこの発明の第１実施形態に係るカメラの正面図、図１（ｂ）は図１（ａ）のＡ−Ａ線に沿う断面を示す概念図である。
【図２】図２はカメラの使用方法を説明するための図であって、カメラの断面を示す概念図である。
【図３】図３はカメラの使用方法を説明するための図であって、カメラの断面を示す概念図である。
【図４】図４はカメラの使用方法を説明するための図であって、カメラの断面を示す概念図である。
【図５】図５はカメラの使用方法を説明するための図であって、カメラの断面を示す概念図である。
【図６】図６はカメラの使用方法を説明するための図であって、カメラの断面を示す概念図である。
【図７】図７（ａ）はこの発明の第２実施形態に係るカメラの正面図、図７（ｂ）は図７（ａ）のＢ−Ｂ線に沿う断面を示す概念図である。
【図８】図８はカメラの使用方法を説明するための図であって、カメラの断面を示す概念図である。
【図９】図９はカメラの使用方法を説明するための図であって、カメラの断面を示す概念図である。
【図１０】図１０はカメラの使用方法を説明するための図であって、カメラの断面を示す概念図である。
【図１１】図１１はカメラの使用方法を説明するための図であって、カメラの断面を示す概念図である。
【符号の説明】
【００５３】
１，１０１： カメラ（電子機器）、５：ばね、１０，１１０：筐体、１５：センサ（位置検出手段）、２０：撮像部（撮像手段）、２２：レンズ鏡筒（撮影窓）、３０，１３０：プロジェクタ部（プロジェクタ）、３５：投影窓、４０，１４０：スライドカバー（カバー）、４１：下端部、５０：制御回路（切替手段）、１３６：枠体、１３８：凸部、１４２：斜面部。
【図１】
2010134007.tif 000003
【図２】
2010134007.tif 000004
【図３】
2010134007.tif 000005
【図４】
2010134007.tif 000006
【図５】
2010134007.tif 000007
【図６】
2010134007.tif 000008
【図７】
2010134007.tif 000009
【図８】
2010134007.tif 000010
【図９】
2010134007.tif 000011
【図１０】
2010134007.tif 000012
【図１１】
2010134007.tif 000013